(57)【要約】【課題】  バラを鉢から上方に延びるように育て、鉢を床面などに置いて鑑賞用として用いることができるバラの鉢物の栽培方法を提供すること。【解決手段】  バラを鉢で育てて花を咲かせるバラの鉢物の栽培方法。この栽培方法では、挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を整理し、整理して残した芽が伸びてつぼみができ、このつぼみが開く前に伸びた枝のつぼみの下側でピンチを行い、ピンチを行った後に枝から出てくる芽を取り、この芽を取った枝を芽を取った下側でピンチを行い、このピンチ後に枝から出てきた芽を整理し、整理して残した枝に花を咲かせる。【選択図】  図１
2008072940.tif 000002
【特許請求の範囲】
【請求項１】
バラを鉢で育てて花を咲かせるバラの鉢物の栽培方法において、挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を整理し、整理して残した芽に花を咲かせることを特徴とするバラの鉢物の栽培方法。
【請求項２】
バラを鉢で育てて花を咲かせるバラの鉢物の栽培方法において、挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を取り、この芽を取った枝を芽を取った下側でピンチを行い、このピンチ後に枝から出てくる芽を整理し、整理して残した芽に花を咲かせることを特徴とするバラの鉢物の栽培方法。
【請求項３】
バラを鉢で育てて花を咲かせるバラの鉢物の栽培方法において、バラを挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を整理し、整理して残した芽が伸びてつぼみができ、このつぼみが開く前に伸びた枝のつぼみの下側でピンチを行い、ピンチを行った後に枝から出てくる芽を取り、この芽を取った枝を芽を取った下側でピンチを行い、このピンチ後に枝から出てきた芽を整理し、整理して残した枝に花を咲かせることを特徴とするバラの鉢物の栽培方法。
【請求項４】
花を咲かせる枝が伸びてつぼみができ、このつぼみががく割れしかけた前後に、折り曲げた枝を切ることを特徴とする請求項１〜３のいずれかに記載のバラの鉢物の栽培方法。
【請求項５】
バラを鉢で育てて花を咲かせるバラの鉢物の栽培方法において、挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を整理し、整理して残した枝が伸びてつぼみができ、このつぼみが咲きかけたときにこの枝を折り曲げ、株元や折り曲げた枝から出てくる芽を整理し、整理して残した芽に花を咲かせることを特徴とするバラの鉢物の栽培方法。
【請求項６】
花を咲かせる枝が伸びてつぼみができ、このつぼみががく割れしかけた前後に、折り曲げた枝の全てを切ることを特徴とする請求項５に記載のバラの鉢物の栽培方法。
【請求項７】
バラを定植した後に枝を株元から折り曲げる前に、枝のつぼみの下側でのピンチを２又は３回行うことを特徴とする請求項１〜６のいずれかに記載のバラの鉢物の栽培方法。
【発明の詳細な説明】
【技術分野】
【０００１】
本発明は、バラを鉢で育てて花を咲かせるバラの鉢物の栽培方法に関する。
【背景技術】
【０００２】
バラを鉢物として栽培する栽培方法が知られている（例えば、特許文献１参照）。この栽培方法は、バラを挿し木又は接ぎ木として鉢で育て、バラの枝を成長させて枝の上部につぼみがでてきて少し大きくなったときに、そのつぼみをピンチし、枝を鉢に沿うように弓状に折り曲げ、バラの枝が鉢の底近く伸びるまでピンチを繰り返して栽培するものであり、このように生育したバラの枝は、この折り曲げた枝を輪ゴムなどのひも状の物で鉢に固定される。このような栽培方法では、バラの枝は鉢の外側に沿って下方に延び、下方に垂れ下がるように育てて花を咲かせることができる。
【０００３】
【特許文献１】特開２００３−９６４９号公報
【発明の開示】
【発明が解決しようとする課題】
【０００４】
しかしながら、この従来の栽培方法では、鉢に垂れ下がるようにバラを栽培するので、この鉢を高い場所から吊り下げる場合などにおいては、鑑賞用として用いることができるが、例えば、室内の床に置く場合などにおいては、垂れ下がったバラの枝が床面に着いてその表面に沿って伸びるようになり、それ故に、鉢を床面に置いて飾るようにすることができない。
【０００５】
本発明の目的は、バラを鉢から上方に延びるように育て、鉢を床面などに置いて鑑賞用として用いることができるバラの鉢物の栽培方法を提供することである。
【課題を解決するための手段】
【０００６】
本発明の請求項１に記載のバラの鉢物の栽培方法は、バラを鉢で育てて花を咲かせるバラの鉢物の栽培方法において、挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を整理し、整理して残した芽に花を咲かせることを特徴とする。
【０００７】
また、本発明の請求項２に記載のバラの鉢物の栽培方法は、バラを鉢で育てて花を咲かせるバラの鉢物の栽培方法において、挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を取り、この芽を取った枝を芽を取った下側でピンチを行い、このピンチ後に枝から出てくる芽を整理し、整理して残した芽に花を咲かせることを特徴とする。
【０００８】
また、本発明の請求項３記載のバラの鉢物の栽培方法は、バラを鉢で育てて花を咲かせるバラの鉢物の栽培方法において、バラを挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を整理し、整理して残した芽が伸びてつぼみができ、このつぼみが開く前に伸びた枝のつぼみの下側でピンチを行い、ピンチを行った後に枝から出てくる芽を取り、この芽を取った枝を芽を取った下側でピンチを行い、このピンチ後に枝から出てきた芽を整理し、整理して残した枝に花を咲かせることを特徴とする。
【０００９】
また、本発明の請求項４に記載のバラの鉢物の栽培方法では、花を咲かせる枝が伸びてつぼみができ、このつぼみががく割れしかけた前後に、折り曲げた枝を切ることを特徴とする。
【００１０】
また、本発明の請求項５に記載のバラの鉢物の栽培方法は、バラを鉢で育てて花を咲かせるバラの鉢物の栽培方法において、挿し木又は接ぎ木したバラの苗を鉢に定植し、新しい芽が伸びてつぼみが大きくなってきたときに、出てきた枝のつぼみの下側でピンチを行い、その後、ピンチを行った枝を株元から折り曲げ、株元や折り曲げた枝から出てくる芽を整理し、整理して残した枝が伸びてつぼみができ、このつぼみが咲きかけたときにこの枝を折り曲げ、株元や折り曲げた枝から出てくる芽を整理し、整理して残した芽に花を咲かせることを特徴とする。
【００１１】
また、本発明の請求項６に記載のバラの鉢物の栽培方法では、花を咲かせる枝が伸びてつぼみができ、このつぼみががく割れしかけた前後に、折り曲げた枝の全てを切ることを特徴とする。
【００１２】
更に、本発明の請求項７に記載のバラの栽培方法では、バラを定植した後に枝を株元から折り曲げる前に、枝のつぼみの下側でのピンチを２又は３回行うことを特徴とする。
【発明の効果】
【００１３】
本発明の請求項１に記載のバラの鉢物の栽培方法によれば、バラの苗を鉢に定植し、新しい芽がでてつぼみが大きくなってきたときに、でてきた枝のつぼみの下側でピンチを行い、その後ピンチを行った枝の株元から折り曲げるので、この株元や折り曲げた枝から新しい芽が出てくるようになる。そして、このようにでてきた新芽を選定して整理し、整理して残した芽を枝として伸ばすので、残した枝に養分を送ることができ、またこの枝は上方に伸び、このように上方に伸びる枝に花が咲き、室内の床などに置いて飾る鑑賞用鉢物として好適なものとなる。
【００１４】
また、本発明の請求項２に記載のバラの鉢物の栽培方法によれば、上述したように、バラの苗を鉢に定植し、でてきた枝のつぼみの下側でピンチを行い、その後ピンチを行った枝の株元から折り曲げるので、この株元や折り曲げた枝から新しい芽が出てくるようになる。その後、このようにでてきた新芽を取り、この芽を取った枝を芽を取った下側でピンチを行い、このピンチ後に枝から出てくる芽を選定して整理して伸ばすので、伸ばす枝に多くの養分を送り、上方に伸びる枝に付くつぼみに充分な養分を与えることができ、大きな花を咲かせることが可能となる。
【００１５】
また、本発明の請求項３に記載のバラの鉢物の栽培方法によれば、上述したように、バラの苗を鉢に定植し、でてきた枝のつぼみの下側でピンチを行い、その後ピンチを行った枝の株元から折り曲げるので、この株元や折り曲げた枝から新しい芽が出てくるようになる。その後、このようにでてきた新芽を選定して整理し、整理して残した芽が伸びてつぼみができ、このつぼみが開く前に伸びた枝のつぼみの下側でピンチを行い、ピンチを行った後に枝から出てくる芽を取り、この芽を取った枝を芽を取った下側でピンチを行い、このピンチ後に枝から出てきた芽を選定して整理するので、伸ばす枝により多くの養分を送ることができ、また枝に付く葉数がより多くなって充分な養分が生成され、これにより、上方に伸びる枝に付くつぼみに充分な養分を与えてより大きな花を咲かせることが可能となる。
【００１６】
また、本発明の請求項４に記載のバラの鉢物の栽培方法によれば、花を咲かせる枝のつぼみががく割れしかけた前後に、折り曲げた枝を切るので、鉢物に栽培されたバラは上方に伸びた枝が残り、鑑賞用としてきれいなものに仕上がる。また、つぼみががく割れしかけた前後に折り曲げた枝を切るので、養分ががく割れしたつぼみに送られ、大きな花を咲かせることができ、またこのときに出荷することによって、店頭販売する際には花が咲く間近の状態で販売でき、顧客が購入した後に花が咲くようになり、鑑賞用の販売に適した栽培となる。
【００１７】
また、本発明の請求項５に記載のバラの鉢物の栽培方法によれば、上述したように、バラの苗を鉢に定植し、でてきた枝のつぼみの下側でピンチを行い、その後ピンチを行った枝の株元から折り曲げるので、この株元や折り曲げた枝から新しい芽が出てくるようになる。その後、このようにでてきた新芽を整理し、整理して残った枝が伸びてつぼみができ、このつぼみが出かけたときにこの枝を折り曲げ、株元や折り曲げた枝から出てくる芽を選定して伸ばすので、このようにしても伸ばす枝に多くの養分を送り、大きな花を咲かせることが可能となる。
【００１８】
また、本発明の請求項６に記載のバラの鉢物の栽培方法によれば、花を咲かせる枝のつぼみががく割れしかけた前後に、折り曲げた枝の全てを切るので、鉢物に栽培されたバラは上方に伸びた枝が残り、鑑賞用としてきれいなものに仕上がる。
【００１９】
更に、本発明の請求項７に記載のバラの鉢物の栽培方法によれば、枝を株元から折り曲げる前に、枝のつぼみの下側でピンチを２〜３回行うので、折り曲げる前に枝に付く葉数を多くすることができ、折り曲げた後に出てくる芽に多くの養分を送ることができる。
【発明を実施するための最良の形態】
【００２０】
以下、添付図面を参照して、本発明に従うバラの鉢物の栽培方法の一実施例について説明する。図１は、本発明に従うバラの鉢物の栽培方法の一実施例を示す工程図であり、図２は、バラの苗を鉢に定植した状態を示す図であり、図３は、定植後につぼみが大きくなった状態を示す図であり、図４は、つぼみの下側を１回目のピンチする状態を示す図であり、図５は、１回目のピンチ後につぼみが大きくなった状態を示す図であり、図６は、つぼみの下側を２回目のピンチする状態を示す図であり、図７は、枝を株元から折り曲げた状態を示す図であり、図８は、折り曲げた後に枝から出てきた新芽を整理する状態を示す図であり、図９は、つぼみの下側を３回目のピンチする状態を示す図であり、図１０は、３回目のピンチの後に枝から出てくる新芽を整理する状態を拡大して示す図であり、図１１は、新芽の下側をピンチをする状態を示す図であり、図１２は、ピンチ後に出てきた新芽を整理した状態を示す図であり、図１３は、折り曲げた枝をカットするときの状態を示す図であり、図１４は、鉢物が完成したときの状態を示す図である。
【００２１】
図１〜図４を参照して、バラの鉢物の栽培方法について説明すると、この栽培方法では、バラの苗作りを行い、育てた苗２を鉢４に定植する（苗の定植工程Ｓ１）。この苗２の定植は、図２（ａ）で示すように、挿し木により育った苗２ａを行うようにしてもよく、図２（ｂ）で示すように、接ぎ木により育った苗２ｂを行うようにしてもよい。以下、挿し木により育てた苗２ａを例に説明するが、接ぎ木により育てた苗２ｂについても同様に栽培することができる。
【００２２】
鉢４に定植すると、苗２ａから枝が伸び、約２か月半すると、図３に示すように、伸びた枝６の先につぼみ８ができ、できたつぼみ８が大きくなり出す。このようにつぼみ８が大きくなり出すと、できたつぼみ８の下側でつぼみ８のピンチを行う（１回目のつぼみのピンチ工程Ｓ２）。この１回目のピンチは、つぼみ８の直ぐ下か、又はその次の葉１０の下側（図４参照）でピンチを行うのが好ましく、このような個所でピンチを行うことによって、枝６に光合成をするための葉１２を多く残すことができる。尚、次の葉１０の更に次の葉の下側でピンチを行うようにしてもよい。
【００２３】
このようにピンチを行うと、ピンチをした下側の節１４から新芽ができ、できた新芽が伸びて枝１６となり、ピンチの後に約２０日程度経過すると、図５に示すように、伸びた枝１６の先につぼみ１８ができ、できたつぼみ１８が大きくなりだす。このようにつぼみ１８が大きくなりだすと、図６に示すように、できたつぼみ１８の下側でつぼみ１８のピンチを行う（２回目のつぼみのピンチ工程Ｓ３）。この２回目のピンのときにも、１回目のピンチと同様に、つぼみ１８の直ぐ下（図６参照）か、又はその次の葉２０の下側でインチを行うのが好ましく、このような個所でピンチを行うことによって、枝１６に光合成をするための葉２２を多く残すことができる。尚、この場合も、次の葉２０の更に次の葉の下側でピンチを行うようにしてもよい。
【００２４】
このように２回目のピンチを行った後に、図７に示すように、株元２４から枝６を折り曲げる（折り曲げ工程Ｓ４）。この株元の折り曲げは、株元２４から２節以内のところを折り曲げるのが好ましく、このように折り曲げると、折り曲げた部位が最も高くなるように保持するのが望ましい。
【００２５】
このように折り曲げると、図８に示すように、株元付近や折り曲げた枝６から新芽２６が多数出てくるが、これら新芽２６を取り除き、これら新芽２６のうち根元に近い個所から出ている丈夫な芽２６を選定して残すように整理する（１回目の新芽の整理工程Ｓ５）。このとき、新芽２６を２〜５つ程度残すようにするのが好ましく、このように新芽２６を整理することによって、残した芽２６に養分を集めることができる。
【００２６】
その後、整理して残した新芽２６が伸び、約３０日前後経過すると、図９に示すように、伸びた枝２８の先につぼみ３０ができ、できたつぼみ３０が開く前につぼみ３０の下側でピンチする（３回目のつぼみのピンチ工程Ｓ６）。この３回目のピンチのときにも、１回目のピンチと同様に、つぼみ３０の直ぐ下（図９参照）か、又はその次の葉３２の下側でインチを行うのが好ましく、このような個所でピンチを行うことによって、枝２８に光合成をするための葉３０を多く残すことができる。尚、この場合も、次の葉３２の更に次の葉の下側でピンチを行うようにしてもよい。
【００２７】
このように３回目のピンチを行うと、図１０に示すように、その直ぐ下の節３４などから新芽３６が出てくるが、これら新芽３６が大きくならないうちに取り除き（新芽の取り除き工程Ｓ７）、このように新芽３６を取り除くことによって、株に養分を蓄えさせることができる。このような新芽３６は次々と出てくるので、新芽３６が出てくる度に何度も取り除くようにする。
【００２８】
そして、このように新芽３６を取り除いた後に、図１１で示すように、新芽３６を取った枝２８を芽３６を取り除いた下側でピンチを行う（新芽の下側のピンチ工程Ｓ８）。このピンチは、芽３６を取った枝２８を、株元から本葉第２節までのところでピンチを行うのが好ましく、このような個所でピンチすることによって、新芽からしっかりした枝を伸はすことができるとともに、枝の太さ、長さを揃えることができ、観賞用としてきれいに仕上げることができる。
【００２９】
このようにピンチを行うと、図１２に示すように、ピンチを行った枝２８から新芽３８が出てき、出てきた新芽３８を選定して一つの枝２８について１〜２個、また株全体として３〜６個残るように整理する（２回目の新芽の整理工程Ｓ９）。このように新芽３８を整理することによって、できたつぼみに養分が行き渡らせることができ、大きな花を咲かせることができる。
【００３０】
その後、残した新芽３８が枝４０となって伸び、それらの枝４０の先につぼみ４２ができ、できたつぼみ４２ががく割れしかける（換言すると、バラの花が咲き始める）と、図１３で示すように、折り曲げ工程Ｓ４で折り曲げた枝１２をピンチする（折り曲げた枝のカット工程Ｓ１０）。このようにカットすると、図１３に示すように、鉢物のバラとして枝４０が上方に伸びたきれいなものとなり、バラの鉢物として完成したものとなり（鉢物の完成工程Ｓ１１）、室内の床などに置いて鑑賞用に用いることができる。店頭で販売する場合、顧客が購入した後少し経過したときに花が咲くようにするのが好ましく、つぼみ４２ががく割れしかけた前後に折り曲げた枝１２をカットして販売用に出荷するようになる。尚、販売のための出荷などを考慮しないときには、折り曲げた枝１２のカットをつぼみ４２ががく割れしかけた前後に行う必要はない。
【００３１】
以上、本発明に従うバラの鉢物の栽培方法の一実施例について説明したが、本発明はかかる実施例に限定されるものではなく、本発明の範囲を逸脱することなく種々の変形乃至修正が可能である。
【００３２】
例えば、上述した実施例では、株元からの折り曲げ工程Ｓ４の前につぼみのピンチを２回行っているが、このようなつぼみのピンチを３回行うようにしてもよく、２〜３回行うことによって、大きなバラの鉢物を栽培することができる。尚、このつぼみのピンチを１回行うようにしてもよい。
【００３３】
また、例えば、上述した実施例では、株元からの折り曲げ工程Ｓ４の後に、３回目のつぼみのピンチ工程Ｓ６及び新芽の下側のピンチ工程Ｓ８などを行っているが、必ずしもこのように栽培する必要はなく、例えば株元からの折り曲げ工程Ｓ４の後に出てくる新芽（１回目の新芽の整理工程Ｓ５において出てきた新芽）を選定して整理し、整理して残した新芽を枝として伸ばし、この枝の先にできたつぼみを咲かせるようにしてもよい。或いは、３回目のつぼみのピンチ工程Ｓ６の後に出てくる新芽（新芽の取り除き工程Ｓ７において出てきた新芽）を取り除き、この芽を取った枝を芽を取った下側でピンチし、このピンチ後に枝から出てくる芽を選定して整理し、整理して残した芽を枝として延ばし、この枝の咲きにできたつぼみを咲かせるようにしてもよい。尚、この場合においても、芽を取った下側でのピンチは、株元から本葉第２節までのところで行う（所謂、切り戻しピンチを行う）のが好ましく、このような個所でピンチすることによって、枝の太さ、長さを揃えることができ、観賞用としてきれいに仕上げることができる。
【００３４】
また、上述した栽培方法では、枝の折り曲げを１回行っているが、図１５に示すように栽培して枝の折り曲げを２回行うようにしてもよい。図１５において、この栽培方法では、上述した実施例と同様にして苗の定植工程Ｓ２１、１回目のつぼみのピンチ工程Ｓ２２、
回目のつぼみのピンチ工程Ｓ２３、１回目の株元からの折り曲げ工程Ｓ２４を行う。
【００３５】
このように折り曲げると、株元付近や折り曲げた枝から新芽が出てくるが、これら新芽の一部を取り除き、これら新芽のうち株元に近い個所から出ている丈夫な芽を選定して残すように整理する（１回目の新芽の整理工程Ｓ２５）。このとき、新芽を１つ又は２つ程度残すようにするのが好ましい。
【００３６】
その後、整理して残した新芽が伸び、伸びた枝の先につぼみができた前後に、つぼみた付いた枝を再度折り曲げる（２回目の株元からの折り曲げ工程Ｓ２６）。この折り曲げは、上述したと同様に、株元２４から２節以内のところを折り曲げるのが好ましく、このように折り曲げると、折り曲げた部位が最も高くなるように保持するのが望ましい。
【００３７】
このように折り曲げると、株元付近や折り曲げた枝から新芽が出てくるが、これら新芽の一部を取り除き、これら新芽のうち株元に近い個所から出ている丈夫な芽を選定して残すように整理する（２回目の新芽の整理工程Ｓ２７）。このとき、新芽を１つ又は２つ程度残すようにするのが好ましい。
【００３８】
その後、残した新芽が枝となって伸び、それらの枝の先につぼみができ、できたつぼみががく割れしかけると、１回目の折り曲げ工程Ｓ２４及び２回目の折り曲げ工程Ｓ２６で折り曲げた枝を全てピンチする（折り曲げた全ての枝のカット工程Ｓ２８）。このようにピンチすると、上述した実施例と同様に、鉢物のバラとして枝が上方に伸びたきれいなものとなり、バラの鉢物として完成し（鉢物の完成工程Ｓ２９）、室内の床などに置いて鑑賞用に用いることができる。
【００３９】
実施例
本発明の栽培方法を確認するために、次の通りにしてバラを栽培した。２００５年３月上旬に挿し木用の苗作りを行い、２００５年５月中頃に作った苗を鉢に定植した。２００５年５月中頃に、定植した苗から伸びた枝の先につぼみができ、つぼみの直ぐ下で１回目のつぼみのピンチを行った。その後、ピンチした枝から出てきた新たな枝の先端につぼみができ、このつぼみの直ぐ下で２回目のつぼみのピンチを行った。
【００４０】
そして、２００５年７月１０日頃に、株元から１節のところで折り曲げ、折り曲げた個所が最も高くなるように保持した。このようにすると、株元や折り曲げた枝から新芽が出てきたが、根元に近い個所の丈夫な芽を２つ残して整理した。
【００４１】
２００５年８月５日頃に、残した芽が伸びて枝の先につぼみができ、できたつぼみの直ぐ下で第２回目のピンチを行った。このようにピンチすると、ピンチした直ぐ下の節などから新芽が出てくるが、これらの新芽を大きくならないうちに取り除いた。そして、２００５年８月２０日頃に、芽を取り除いた枝をしたから本葉２節のところでピンチした。このようにピンチすると、ピンチした枝から新芽が出てくるが、出てきた新芽を整理し、一つの枝につき二つ、株全体で４つ残るようにした。
【００４２】
２００５年９月中旬に、残した芽から伸びた枝の先端につぼみが出てき、できたつぼみががく割れしかけたので、折り曲げた枝をカットした。そして、２００５年９月２０日頃に、がく割れしかけていたつぼみが大きなバラの花として咲いた。
【図面の簡単な説明】
【００４３】
【図１】本発明に従うバラの鉢物の栽培方法の一実施例を示す工程図。
【図２】バラの苗を鉢に定植した状態を示す図。
【図３】定植後につぼみが大きくなった状態を示す図。
【図４】つぼみの下側を１回目のピンチする状態を示す図。
【図５】１回目のピンチ後につぼみが大きくなった状態を示す図。
【図６】つぼみの下側を２回目のピンチする状態を示す図。
【図７】枝を株元から折り曲げた状態を示す図。
【図８】折り曲げた後に枝から出てきた新芽を整理する状態を示す図。
【図９】つぼみの下側を３回目のピンチする状態を示す図。
【図１０】３回目のピンチの後に枝から出てくる新芽を整理する状態を拡大して示す図。
【図１１】新芽の下側をピンチをする状態を示す図。
【図１２】ピンチ後に出てきた新芽を整理した状態を示す図。
【図１３】折り曲げた枝をカットするときの状態を示す図。
【図１４】鉢物が完成したときの状態を示す図。
【図１５】本発明に従うバラの鉢物の栽培方法の他の実施例を示す工程図。
【符号の説明】
【００４４】
２，２ａ，２ｂ  苗
４  鉢
６，１６，２８，４０  枝
８，１８，３０，４２  つぼみ
１０，１２，２０，２２，３０，３２  葉
２４  枝元
２６，３６，３８  新芽
【図１】
2008072940.tif 000003
【図２】
2008072940.tif 000004
【図３】
2008072940.tif 000005
【図４】
2008072940.tif 000006
【図５】
2008072940.tif 000007
【図６】
2008072940.tif 000008
【図７】
2008072940.tif 000009
【図８】
2008072940.tif 000010
【図９】
2008072940.tif 000011
【図１０】
2008072940.tif 000012
【図１１】
2008072940.tif 000013
【図１２】
2008072940.tif 000014
【図１３】
2008072940.tif 000015
【図１４】
2008072940.tif 000016
【図１５】
2008072940.tif 000017